(57)【特許請求の範囲】
【請求項１】
ディザデータを用いて、多階調の入力画像データのディザ処理を行うディザ処理部を備え、
前記ディザデータは、
Ｃ，Ｍ，Ｙ，Ｋ版の前記入力画像データの前記ディザ処理に用いられ、前記ディザ処理後のＣ，Ｍ，Ｙ，Ｋ版の画像データの各々のスクリーン角度が互いに異なるように設定される４つの万線型ディザデータと、
Ｒ，Ｇ，Ｂ版の前記入力画像データの前記ディザ処理に用いられ、前記ディザ処理後のＲ，Ｇ,Ｂ版の画像データの各々のスクリーン角度は、Ｃ，Ｍ，Ｙ，Ｋのうちの補色となる色のスクリーン角度と同じになるように設定される３つの万線型ディザデータと、
Ｃ，Ｍ，Ｙ，Ｋ，Ｒ，Ｇ，Ｂ以外の色版の前記入力画像データの前記ディザ処理に用いられ、前記ディザ処理後のＣ，Ｍ，Ｙ，Ｋ，Ｒ，Ｇ，Ｂ以外の色版の画像データのスクリーン角度は、Ｃ，Ｍ，Ｙ，Ｋのうちの何れか２つの色のスクリーン角度の間の角度となるように設定される２つの万線型ディザデータと、を含み、
前記２つの万線型ディザデータは、Ｃ，Ｍ，Ｙ，Ｋ，Ｒ，Ｇ，Ｂ以外の第１の色用の第１の万線型ディザデータと、Ｃ，Ｍ，Ｙ，Ｋ，Ｒ，Ｇ，Ｂ以外の第２の色用の第２の万線型ディザデータとを含み、
前記第１の万線型ディザデータは、前記第１の万線型ディザデータを用いた前記ディザ処理後の画像データのスクリーン角度が、Ｃ，Ｍ，Ｙ，Ｋの各々のスクリーン角度とは重ならず、Ｃ，Ｍ，Ｙ，Ｋのうちの何れか２つの色に対応するとともに互いに隣接する関係となる２つのスクリーン角度の間の角度となるように設定され、
前記第２の万線型ディザデータは、前記第２の万線型ディザデータを用いた前記ディザ処理後の画像データのスクリーン角度が、Ｃ，Ｍ，Ｙ，Ｋの各々のスクリーン角度とは重ならず、Ｃ，Ｍ，Ｙ，Ｋのうち前記何れか２つの色とは異なる２つの色に対応するとともに互いに隣接する関係となる２つのスクリーン角度の間の角度となるように設定される、
ことを特徴とする画像処理装置。
【請求項２】
前記４つの万線型ディザデータのうちＣ版用の万線型ディザデータは、当該Ｃ版用の万線型ディザデータを用いたディザ処理後のＣ版の画像データのスクリーン角度が１８°となるように設定され、Ｍ版用の万線型ディザデータは、当該Ｍ版用の万線型ディザデータを用いたディザ処理後のＭ版の画像データのスクリーン角度が１０８°となるように設定され、Ｙ版用の万線型ディザデータは、当該Ｙ版用の万線型ディザデータを用いたディザ処理後のＹ版の画像データのスクリーン角度が１６２°となるように設定され、Ｋ版用の万線型ディザデータは、当該Ｋ版用の万線型ディザデータを用いたディザ処理後のＫ版の画像データのスクリーン角度が７２°となるように設定され、
前記第１の万線型ディザデータは、前記第１の万線型ディザデータを用いたディザ処理後の画像データのスクリーン角度が、Ｃのスクリーン角度とＫのスクリーン角度との間の角度である４５°となるように設定され、
前記第２の万線型ディザデータは、前記第２の万線型ディザデータを用いたディザ処理後の画像データのスクリーン角度が、Ｍのスクリーン角度とＹのスクリーン角度との間の角度である１３５°となるように設定される、
ことを特徴とする請求項１に記載の画像処理装置。
【請求項３】
前記４つの万線型ディザデータのうちＣ版用の万線型ディザデータは、当該Ｃ版用の万線型ディザデータを用いたディザ処理後のＣ版の画像データのスクリーン角度が１８°となるように設定され、Ｍ版用の万線型ディザデータは、当該Ｍ版用の万線型ディザデータを用いたディザ処理後のＭ版の画像データのスクリーン角度が１０８°となるように設定され、Ｙ版用の万線型ディザデータは、当該Ｙ版用の万線型ディザデータを用いたディザ処理後のＹ版の画像データのスクリーン角度が１６２°となるように設定され、Ｋ版用の万線型ディザデータは、当該Ｋ版用の万線型ディザデータを用いたディザ処理後のＫ版の画像データのスクリーン角度が７２°となるように設定され、
前記第１の万線型ディザデータは、前記第１の万線型ディザデータを用いたディザ処理後の画像データのスクリーン角度が、Ｃのスクリーン角度とＹのスクリーン角度との間の角度である０°となるように設定され、
前記第２の万線型ディザデータは、前記第２の万線型ディザデータを用いたディザ処理後の画像データのスクリーン角度が、Ｋのスクリーン角度とＭのスクリーン角度との間の角度である９０°となるように設定される、
ことを特徴とする請求項１に記載の画像処理装置。
【請求項４】
前記４つの万線型ディザデータのうちＣ版用の万線型ディザデータは、当該Ｃ版用の万線型ディザデータを用いたディザ処理後のＣ版の画像データのスクリーン角度が３４°となるように設定され、Ｍ版用の万線型ディザデータは、当該Ｍ版用の万線型ディザデータを用いたディザ処理後のＭ版の画像データのスクリーン角度が１２４°となるように設定され、Ｙ版用の万線型ディザデータは、当該Ｙ版用の万線型ディザデータを用いたディザ処理後のＹ版の画像データのスクリーン角度が１４６°となるように設定され、Ｋ版用の万線型ディザデータは、当該Ｋ版用の万線型ディザデータを用いたディザ処理後のＫ版の画像データのスクリーン角度が５６°となるように設定され、
前記第１の万線型ディザデータは、前記第１の万線型ディザデータを用いたディザ処理後の画像データのスクリーン角度が、Ｃのスクリーン角度とＫのスクリーン角度との間の角度である４５°となるように設定され、
前記第２の万線型ディザデータは、前記第２の万線型ディザデータを用いたディザ処理後の画像データのスクリーン角度が、Ｍのスクリーン角度とＹのスクリーン角度との間の角度である１３５°となるように設定される、
ことを特徴とする請求項１に記載の画像処理装置。
【請求項５】
前記４つの万線型ディザデータのうちＣ版用の万線型ディザデータは、当該Ｃ版用の万線型ディザデータを用いたディザ処理後のＣ版の画像データのスクリーン角度が３４°となるように設定され、Ｍ版用の万線型ディザデータは、当該Ｍ版用の万線型ディザデータを用いたディザ処理後のＭ版の画像データのスクリーン角度が１２４°となるように設定され、Ｙ版用の万線型ディザデータは、当該Ｙ版用の万線型ディザデータを用いたディザ処理後のＹ版の画像データのスクリーン角度が１４６°となるように設定され、Ｋ版用の万線型ディザデータは、当該Ｋ版用の万線型ディザデータを用いたディザ処理後のＫ版の画像データのスクリーン角度が５６°となるように設定され、
前記第１の万線型ディザデータは、前記第１の万線型ディザデータを用いたディザ処理後の画像データのスクリーン角度が、Ｃのスクリーン角度とＹのスクリーン角度との間の角度である０°となるように設定され、
前記第２の万線型ディザデータは、前記第２の万線型ディザデータを用いたディザ処理後の画像データのスクリーン角度が、Ｋのスクリーン角度とＭのスクリーン角度との間の角度である９０°となるように設定される、
ことを特徴とする請求項１に記載の画像処理装置。
【請求項６】
前記ディザ処理後のＣ，Ｍ，Ｙ，Ｋ，Ｒ，Ｇ，Ｂ以外の色版の画像データのスクリーン線数は、前記ディザ処理後のＣ，Ｍ，Ｙ，Ｋ，Ｒ，Ｇ，Ｂの画像データのスクリーン線数に比べて高くなるように設定される、
ことを特徴とする請求項１から請求項５のうちの何れか１つに記載の画像処理装置。
【請求項７】
請求項１から請求項６のうちの何れか１つに記載の画像処理装置で画像処理された画像データに基づいて、媒体上に画像を形成する画像形成部を備える、
ことを特徴とする画像形成装置。
【発明の詳細な説明】
【技術分野】
【０００１】
本発明は、画像処理装置および画像形成装置に関する。
【背景技術】
【０００２】
従来、印刷物の高画質化を図るために、通常の印刷で使用するＣＭＹＫの４色に他の色を加えて印刷を行う技術が知られている。例えば特許文献１には、ＣＭＹＫを含む５色を用いて印刷を行うカラー印刷システムが開示されている。
【発明の概要】
【発明が解決しようとする課題】
【０００３】
しかしながら、特許文献１に開示された技術では、ＣＭＹＫ以外の追加色として想定される全ての色について、スクリーン角度等を個別に設計する必要がある。つまりは、ＣＭＹＫ以外の追加色として想定される全ての色について、ディザデータを個別に設計して用意しなければならないので、階調処理の設計工数、および、ディザデータを保持するメモリに必要な容量が増大するという問題がある。
【０００４】
本発明は、上記に鑑みてなされたものであって、階調処理の設計工数、および、ディザデータを保持するメモリに必要な容量を低減可能な画像処理装置および画像形成装置を提供することを目的とする。
【課題を解決するための手段】
【０００５】
上述した課題を解決し、目的を達成するために、本発明の画像処理装置は、ディザデータを用いて、多階調の入力画像データのディザ処理を行うディザ処理部を備え、前記ディザデータは、Ｃ，Ｍ，Ｙ，Ｋ版の前記入力画像データの前記ディザ処理に用いられ、前記ディザ処理後のＣ，Ｍ，Ｙ，Ｋ版の画像データの各々のスクリーン角度が互いに異なるように設定される４つの万線型ディザデータと、Ｒ，Ｇ，Ｂ版の前記入力画像データの前記ディザ処理に用いられ、前記ディザ処理後のＲ，Ｇ,Ｂ版の画像データの各々のスクリーン角度は、Ｃ，Ｍ，Ｙ，Ｋのうちの補色となる色のスクリーン角度と同じになるように設定される３つの万線型ディザデータと、Ｃ，Ｍ，Ｙ，Ｋ，Ｒ，Ｇ，Ｂ以外の色版の前記入力画像データの前記ディザ処理に用いられ、前記ディザ処理後のＣ，Ｍ，Ｙ，Ｋ，Ｒ，Ｇ，Ｂ以外の色版の画像データのスクリーン角度は、Ｃ，Ｍ，Ｙ，Ｋのうちの何れか２つの色のスクリーン角度の間の角度となるように設定される２つの万線型ディザデータと、を含み、前記２つの万線型ディザデータは、Ｃ，Ｍ，Ｙ，Ｋ，Ｒ，Ｇ，Ｂ以外の第１の色用の第１の万線型ディザデータと、Ｃ，Ｍ，Ｙ，Ｋ，Ｒ，Ｇ，Ｂ以外の第２の色用の第２の万線型ディザデータとを含み、前記第１の万線型ディザデータは、前記第１の万線型ディザデータを用いた前記ディザ処理後の画像データのスクリーン角度が、Ｃ，Ｍ，Ｙ，Ｋの各々のスクリーン角度とは重ならず、Ｃ，Ｍ，Ｙ，Ｋのうちの何れか２つの色に対応するとともに互いに隣接する関係となる２つのスクリーン角度の間の角度となるように設定され、前記第２の万線型ディザデータは、前記第２の万線型ディザデータを用いた前記ディザ処理後の画像データのスクリーン角度が、Ｃ，Ｍ，Ｙ，Ｋの各々のスクリーン角度とは重ならず、Ｃ，Ｍ，Ｙ，Ｋのうち前記何れか２つの色とは異なる２つの色に対応するとともに互いに隣接する関係となる２つのスクリーン角度の間の角度となるように設定される、ことを特徴とする。また、本発明の画像形成装置は、上記画像処理装置で画像処理された画像データに基づいて、媒体上に画像を形成する画像形成部を備えることを特徴とする。
【発明の効果】
【０００６】
本発明によれば、Ｒ，Ｇ，Ｂ版の入力画像データのディザ処理に用いられる３つの万線型ディザデータの各々は、当該万線型ディザデータを用いたディザ処理後の画像データのスクリーン角度が、Ｃ，Ｍ，Ｙ，Ｋのうちの補色となる色のスクリーン角度と同じになるように設定され、Ｃ，Ｍ，Ｙ，Ｋ，Ｒ，Ｇ，Ｂ以外の色版の入力画像データのディザ処理に用いられる万線型ディザデータは２つで済むので、階調処理の設計工数、および、ディザデータを保持するメモリに必要な容量を低減できるという有利な効果を奏する。
【図面の簡単な説明】
【０００７】
【図１】図１は、実施形態に係る画像入出力システムの概略構成の一例を示すブロック図である。
【図２】図２は、画像形成部の構造の一例を示す図である。
【図３】図３は、画像処理装置の概略構成の一例を示すブロック図である。
【図４】図４は、第１中間調処理部の詳細な構成の一例を示すブロック図である。
【図５】図５は、ＣＭＹＫ版用の万線型ディザデータを説明するための図である。
【図６】図６は、第２中間調処理部の詳細な構成の一例を示すブロック図である。
【図７】図７は、ＲＧＢ版用の万線型ディザデータを説明するための図である。
【図８】図８は、その他の追加色用の万線型ディザデータを説明するための図である。
【図９】図９は、その他の追加色用の万線型ディザデータの変形例を説明するための図である。
【図１０】図１０は、ＣＭＹＫ版用の万線型ディザデータの変形例を説明するための図である。
【発明を実施するための形態】
【０００８】
＜実施形態＞
以下、添付図面を参照しながら、本発明に係る画像処理装置および画像形成装置の一実施形態を詳細に説明する。図１は、本実施形態に係る画像入出力システムの概略構成の一例を示すブロック図である。画像入出力システムは、画像入力装置３０１と、画像処理装置３０２と、画像形成装置３０３とを備える。
【０００９】
画像入力装置３０１は、スキャナやデジタルカメラ等の入力デバイスである。画像入力装置３０１では、入力画像が例えば８ビット精度ならば２５６階調の画像データとして取り込まれる。この画像入力装置３０１で取り込まれた多値画像データは、画像処理装置３０２に入力される。
【００１０】
画像処理装置３０２は、画像入力装置３０１から入力された多値画像データに対し、この後段の画像形成装置３０３で出力可能な階調数に変換（量子化）する処理を行う。この階調数変換処理には、ディザ処理が用いられる。画像形成装置３０３が出力可能な階調数が２値の場合は、入力された多値画像データが２値化されるようにディザ処理が行われ、４値の場合は、入力された多値画像データが４値化されるようにディザ処理が行われる。ここでは、画像形成装置３０３が出力可能な階調数は２値であるとする。画像処理装置３０２で量子化された画像データは、画像形成装置３０３に送られる。
【００１１】
画像形成装置３０３は、画像処理装置３０２で画像処理（ディザ処理等）された画像データに基づいて、例えば紙などの媒体上に画像を形成する画像形成部３１０（後述）を備える。詳しくは後述するが、本実施形態の画像形成装置３０３は、Ｃ（シアン），Ｍ（マゼンダ），Ｙ（黄），Ｋ（黒）の基本色に追加の２色（以下では、説明の便宜上Ａ，Ｂと表記）を加えた６版印刷が可能である。本実施形態の追加色としては、Ｒ（赤），Ｇ（緑），Ｂ（青），Ｌｃ（ライトシアン），Ｌｍ（ライトマゼンダ），Ｄｇ（ダークグレー），Ｌｇ（ライトグレー），透明，青金，銀，赤金などがある。
【００１２】
図２は、画像形成部３１０の構造の一例を示す図である。本実施形態では、画像形成部３１０は電子写真方式で画像を形成するが、これに限らず、例えばインクジェット方式で画像を形成することもできる。図２に示すように、画像形成部３１０は、複数の像形成体の周面上にそれぞれＹ，Ｍ，Ｃ，Ｋ，Ａ，Ｂの各トナー像を形成し、これを中間転写体上に重ね合わせて転写（１次転写）したのち転写材に再転写（２次転写）する。
【００１３】
ベルト状の中間転写体である転写ベルト１４には、Ｂ，Ａ，Ｙ，Ｍ，Ｃ，Ｋの各画像形成ユニット５０Ｂ，５０Ａ，５０Ｙ，５０Ｍ，５０Ｃ，５０Ｋが転写ベルト１４の回転方向上流側から順番に配置される。各画像形成ユニット５０Ｂ，５０Ａ，５０Ｙ，５０Ｍ，５０Ｃ，５０Ｋは、感光体ドラム１０と、帯電器１１と、露光光学系１２と、現像器１３と、クリーニング装置２０とから構成される。各画像形成ユニット５０において形成されたＢ，Ａ，Ｙ，Ｍ，Ｃ，Ｋの各トナー像は、転写ベルト１４の表面上に順次重ね合わせられて転写（１次転写）される。これにより、転写ベルト１４の表面上にカラートナー像が形成される。
【００１４】
上述のカラートナー像は、給紙カセット１５よりタイミングローラ１６を介して給紙される記録紙Ｐの表面に転写器１７のトナーとは反対極性をもった放電作用により一括して転写（２次転写）される。そして、定着装置１８においてトナーが溶着されたのち水平方向に転じて装置上部のトレイ１９に排出される。転写を終えた転写ベルト１４はクリーニング装置２０において残留トナーが除去される。
【００１５】
図３は、画像処理装置３０２の概略構成の一例を示すブロック図である。図３に示すように、画像処理装置３０２は、入力端子１０１および１０６と、スクリーン選択部１０２と、第１中間調処理部１０３と、第２中間調処理部１０４と、合成部１０５と、出力端子１０７とを有する。
【００１６】
入力端子１０１には、画像入力装置３０１からの多値画像データが入力される。ここでは、入力される多値画像データは２次元の画像データであり、Ｉｎ(ｘ，ｙ)と表記される。ｘは、画像の主走査方向のアドレスを示す一方、ｙは、画像の副走査方向のアドレスを示す。この多値画像データＩｎ(ｘ，ｙ)は、ＣＭＹＫ＋ＡＢの合成データである。入力端子１０１に入力された多値画像データＩｎ(ｘ，ｙ)は、スクリーン選択部１０２へ供給される。
【００１７】
一方、入力端子１０６には、図示しないオペレータ部から追加色ＡおよびＢの情報Ｓ（後述）が入力される。入力端子１０６に入力された情報Ｓは、第２中間調処理部１０４へ供給される。
【００１８】
スクリーン選択部１０２は、入力端子１０１から供給された多値画像データＩｎ(ｘ，ｙ)を、ＣＭＹＫ版の合成データＣＭＹＫ（ｘ，ｙ）と、ＡＢ版の合成データＡＢ（ｘ，ｙ）とに分解する。そして、スクリーン選択部１０２は、ＣＭＹＫ版の合成データＣＭＹＫ（ｘ，ｙ）を第１中間調処理部１０３へ供給し、ＡＢ版の合成データＡＢ（ｘ，ｙ）を第２中間調処理部１０４へ供給する。
【００１９】
第１中間調処理部１０３は、スクリーン選択部１０２から供給されるＣＭＹＫ版の合成データＣＭＹＫ（ｘ，ｙ）を後述する方式により２値化する。２値化されたＣＭＹＫ版の合成データＣＭＹＫ＿ｏｕｔ（ｘ，ｙ）は、合成部１０５へ供給される。
【００２０】
第２中間調処理部１０４は、スクリーン選択部１０２から供給されるＡＢ版の合成データＡＢ（ｘ，ｙ）と、入力端子１０６から供給される情報Ｓとを用いて、後述する方式により２値化する。２値化されたＡＢ版の合成データＡＢ＿ｏｕｔ（ｘ，ｙ）は、合成部１０５へ供給される。
【００２１】
合成部１０５は、第１中間調処理部１０３から供給される２値化後のＣＭＹＫ版の合成データＣＭＹＫ＿ｏｕｔ（ｘ，ｙ）と、第２中間調処理部１０４から供給される２値化後のＡＢ版の合成データＡＢ＿ｏｕｔ（ｘ，ｙ）とを合成する。合成したデータＯｕｔ（ｘ，ｙ）は、出力端子１０７へ供給される。そして、出力端子１０７は、画像形成装置３０３（図１参照）に対して合成データＯｕｔ（ｘ，ｙ）を出力する。
【００２２】
図４は、第１中間調処理部１０３の詳細な構成の一例を示すブロック図である。図４に示すように、第１中間調処理部１０３は、入力端子４０１と、ＣＭＹＫ分解部４０２と、Ｃ版γ変換部４０３と、Ｍ版γ変換部４０５と、Ｙ版γ変換部４０７と、Ｋ版γ変換部４０９と、Ｃ版ディザ処理部４０４と、Ｍ版ディザ処理部４０６と、Ｙ版ディザ処理部４０８と、Ｋ版ディザ処理部４１０と、ＣＭＹＫ合成部４１１と、出力端子４１２と、を有する。
【００２３】
入力端子４０１には、ＣＭＹＫ版の合成データＣＭＹＫ（ｘ，ｙ）がスクリーン選択部１０２から供給される。入力端子４０１は、当該ＣＭＹＫ版の合成データＣＭＹＫ（ｘ，ｙ）を、ＣＭＹＫ分解部４０２へ供給する。
【００２４】
ＣＭＹＫ分解部４０２は、ＣＭＹＫ版の合成データＣＭＹＫ（ｘ，ｙ）を、Ｃ版データＣ（ｘ，ｙ）とＭ版データＭ（ｘ，ｙ）とＹ版データＹ（ｘ，ｙ）とＫ版データＫ（ｘ，ｙ）とに分解する。Ｃ版データＣ（ｘ，ｙ）は、後段のＣ版γ変換部４０３へ供給され、Ｍ版データＭ（ｘ，ｙ）は、後段のＭ版γ変換部４０５へ供給され、Ｙ版データＹ（ｘ，ｙ）は、後段のＹ版γ変換部４０７へ供給され、Ｋ版データＫ（ｘ，ｙ）は、後段のＫ版γ変換部４０９へ供給される。
【００２５】
Ｃ版γ変換部４０３は、Ｃ版データＣ（ｘ，ｙ）をγ変換し、γ変換後のＣ版データｇｃ（ｘ，ｙ）を後段のＣ版ディザ処理部４０４へ供給する。Ｃ版ディザ処理部４０４は、図示しないメモリからＣ版用のディザデータ（マトリクスデータ）を読み出し、その読み出したＣ版用のディザデータを用いて、γ変換後のＣ版データｇｃ（ｘ，ｙ）に対してディザ処理を行う。これにより、γ変換後のＣ版データｇｃ（ｘ，ｙ）が２値化される。そして、２値化後（ディザ処理後）のＣ版データｏｃ（ｘ，ｙ）は、後段のＣＭＹＫ合成部４１１へ供給される。本実施形態では、Ｃ版用のディザデータは、当該ディザデータを用いたディザ処理後のＣ版の画像データの解像度が６００ｄｐｉ、スクリーン線数が１９０ｌｐｉ、スクリーン角度が１８°となるように設定される万線型ディザデータである（図５参照）。
【００２６】
図４に示すＭ版γ変換部４０５は、Ｍ版データＭ（ｘ，ｙ）をγ変換し、γ変換後のＭ版データｇｍ（ｘ，ｙ）を後段のＭ版ディザ処理部４０６へ供給する。Ｍ版ディザ処理部４０６は、図示しないメモリからＭ版用のディザデータを読み出し、その読み出したＭ版用のディザデータを用いて、γ変換後のＭ版データｇｍ（ｘ，ｙ）に対してディザ処理を行う。これにより、γ変換後のＭ版データｇｍ（ｘ，ｙ）が２値化される。そして、２値化後のＭ版データｏｍ（ｘ，ｙ）は後段のＣＭＹＫ合成部４１１へ供給される。本実施形態では、Ｍ版用のディザデータは、当該ディザデータを用いたディザ処理後のＭ版の画像データの解像度が６００ｄｐｉ、スクリーン線数が１９０ｌｐｉ、スクリーン角度が１０８°となるように設定される万線型ディザデータである（図５参照）。
【００２７】
図４に示すＹ版γ変換部４０７は、Ｙ版データＹ（ｘ，ｙ）をγ変換し、γ変換後のＹ版データｇｙ（ｘ，ｙ）を後段のＹ版ディザ処理部４０８へ供給する。Ｙ版ディザ処理部４０８は、図示しないメモリからＹ版用のディザデータを読み出し、その読み出したＹ版用のディザデータを用いて、γ変換後のＹ版データｇｙ（ｘ，ｙ）に対してディザ処理を行う。これにより、γ変換後のＹ版データｇｙ（ｘ，ｙ）が２値化される。そして、２値化後のＹ版データｏｙ（ｘ，ｙ）は後段のＣＭＹＫ合成部４１１へ供給される。本実施形態では、Ｙ版用のディザデータは、当該ディザデータを用いたディザ処理後のＹ版の画像データの解像度が６００ｄｐｉ、スクリーン線数が１９０ｌｐｉ、スクリーン角度が１６２°となるように設定される万線型ディザデータである（図５参照）。
【００２８】
図４に示すＫ版γ変換部４０９は、Ｋ版データＫ（ｘ，ｙ）をγ変換し、γ変換後のＫ版データｇｋ（ｘ，ｙ）を後段のＫ版ディザ処理部４１０へ供給する。Ｋ版ディザ処理部４１０は、図示しないメモリからＫ版用のディザデータを読み出し、その読み出したＫ版用のディザデータを用いて、γ変換後のＫ版データｇｋ（ｘ，ｙ）に対してディザ処理を行う。これにより、γ変換後のＫ版データｇｋ（ｘ，ｙ）が２値化される。そして、２値化後のＫ版データｏｋ（ｘ，ｙ）は後段のＣＭＹＫ合成部４１１へ供給される。本実施形態では、Ｋ版用のディザデータは、当該ディザデータを用いたディザ処理後のＫ版の画像データの解像度が６００ｄｐｉ、スクリーン線数が１９０ｌｐｉ、スクリーン角度が７２°となるように設定される万線型ディザデータである（図５参照）。
【００２９】
図４に示すＣＭＹＫ合成部４１１は、２値化後のＣ版データｏｃ（ｘ，ｙ）と２値化後のＭ版データｏｍ（ｘ，ｙ）と２値化後のＹ版データｏｙ（ｘ，ｙ）と２値化後のＫ版データｏｋ（ｘ，ｙ）とを合成して、２値化後のＣＭＹＫ版の合成データＣＭＹＫ＿ｏｕｔ（ｘ，ｙ）を生成する。ＣＭＹＫ合成部４１１で生成された合成データＣＭＹＫ＿ｏｕｔ（ｘ，ｙ）は出力端子４１２に供給される。出力端子４１２は、図３に示す合成部１０５に対して、２値化後のＣＭＹＫ版の合成データＣＭＹＫ＿ｏｕｔ（ｘ，ｙ）を出力する。
【００３０】
図６は、図３に示す第２中間調処理部１０４の詳細な構成の一例を示すブロック図である。図６に示すように、第２中間調処理部１０４は、入力端子５０１および５０７と、ＡＢ分解部５０２と、ＡＢ情報分解部５１４と、Ａ版γ変換部５０３と、Ｂ版γ変換部５０５と、Ａ版γ設定部５１０と、Ｂ版γ設定部５０８と、Ａ版ディザ処理部５０４と、Ｂ版ディザ処理部５０６と、Ａ版ディザデータ設定部５１１と、Ｂ版ディザデータ設定部５０９と、ＡＢ合成部５１２と、出力端子５１３とを有する。
【００３１】
入力端子５０１には、ＡＢ版の合成データＡＢ（ｘ，ｙ）がスクリーン選択部１０２から供給される。入力端子５０１は、当該ＡＢ版の合成データＡＢ（ｘ，ｙ）を、ＡＢ分解部５０２へ供給する。
【００３２】
ＡＢ分解部５０２は、ＡＢ版の合成データＡＢ（ｘ，ｙ）を、Ａ版データＡ（ｘ，ｙ）とＢ版データＢ（ｘ，ｙ）とに分解する。Ａ版データＡ（ｘ，ｙ）は、後段のＡ版γ変換部５０３へ供給され、Ｂ版データＢ（ｘ，ｙ）は、後段のＢ版γ変換部５０５へ供給される。
【００３３】
入力端子５０７には、追加色ＡおよびＢの情報Ｓが図３に示す入力端子１０６から供給される。入力端子５０７は、当該情報Ｓを、ＡＢ情報分解部５１４へ供給する。本実施形態では、情報Ｓは、追加色ＡおよびＢのそれぞれの色情報を示すデータが合成されたデータであり、ＡＢ情報分解部５１４は、入力端子１０６から供給された情報Ｓを、追加色Ａの色情報を示すＡ情報ｓａ（ｘ，ｙ）と、追加色Ｂの色情報を示すＢ情報ｓｂ（ｘ，ｙ）とに分解する。Ａ情報ｓａ（ｘ，ｙ）またはＢ情報ｓｂ（ｘ，ｙ）で示される色の種類としては、上述したように、Ｒ，Ｇ，Ｂ，Ｌｃ，Ｌｍ，Ｄｇ，Ｌｇ，透明，青金，銀，赤金などがある。Ａ情報ｓａ（ｘ，ｙ）は、Ａ版γ設定部５１０およびＡ版ディザデータ設定部５１１のそれぞれに供給される。また、Ｂ情報ｓｂ（ｘ，ｙ）は、Ｂ版γ設定部５０８およびＢ版ディザデータ設定部５０９のそれぞれに供給される。
【００３４】
Ａ版γ設定部５１０は、追加色として想定されるＲ，Ｇ，Ｂ，Ｌｃ，Ｌｍ，Ｄｇ，Ｌｇ，透明，青金，銀，赤金のそれぞれのγテーブルを保持しており、ＡＢ情報分解部５１４から供給されるＡ情報ｓａ（ｘ，ｙ）が示す色のγテーブルからγデータｇＡを読み出す。そして、Ａ版γ設定部５１０は、読み出したγデータｇＡをＡ版γ変換部５０３へ供給する。Ａ版γ変換部５０３は、Ａ版γ設定部５１０から供給されるγデータｇＡを用いて、ＡＢ分解部５０２から供給されるＡ版データＡ（ｘ，ｙ）をγ変換する。γ変換後のＡ版データｇａ（ｘ，ｙ）は後段のＡ版ディザ処理部５０４へ供給される。
【００３５】
同様に、Ｂ版γ設定部５０８は、追加色として想定されるＲ，Ｇ，Ｂ，Ｌｃ，Ｌｍ，Ｄｇ，Ｌｇ，透明，青金，銀，赤金のそれぞれのγテーブルを保持しており、ＡＢ情報分解部５１４から供給されるＢ情報ｓｂ（ｘ，ｙ）が示す色のγテーブルからγデータｇＢを読み出す。そして、Ｂ版γ設定部５０８は、読み出したγデータｇＢをＢ版γ変換部５０５へ供給する。Ｂ版γ変換部５０５は、Ｂ版γ設定部５０８から供給されるγデータｇＢを用いて、ＡＢ分解部５０２から供給されるＢ版データＢ（ｘ，ｙ）をγ変換する。γ変換後のＢ版データｇｂ（ｘ，ｙ）は後段のＢ版ディザ処理部５０６へ供給される。
【００３６】
Ａ版ディザデータ設定部５１１は、ＡＢ情報分解部５１４から供給されるＡ情報ｓａ（ｘ，ｙ）が示す色に対応するディザデータを図示しないメモリから読み出し、その読み出したディザデータｄＡをＡ版ディザ処理部５０４へ供給する。図示しないメモリには、Ｃ，Ｍ，Ｙ，Ｋ版用の万線型ディザデータの他、Ｒ版用のディザデータ、Ｂ版用のディザデータ、Ｇ版用のディザデータ、および、Ｃ，Ｍ，Ｙ，Ｋ，Ｒ，Ｇ，Ｂ以外の色用の２つのディザデータが保持される。以下、各ディザデータの具体的な内容について説明する。
【００３７】
ここで、補色の関係から、ＲドットとＣドット、ＧドットとＭドット、および、ＢドットとＹドットのそれぞれが重なることはない。例えば、ＲドットはＭドットとＹドットから生成され、ＲドットとＣドットが重なるということは、ＣドットとＭドットとＹドットとが重なる条件となるが、この場合はＫドットが生成される条件となる。すなわち、ＲドットとＣドットが重なることはない。ＧドットとＭドット、ＢドットとＹドットについても同様である。この補色の関係を利用して、本実施形態では、Ｒ，Ｇ，Ｂ版用の３つのディザデータの各々は、当該ディザデータを用いたディザ処理後の画像データのスクリーン角度が、Ｃ，Ｍ，Ｙ，Ｋのうちの補色となる色のスクリーン角度と同じになるように設定される。
【００３８】
より具体的には、Ｒ版用のディザデータは、当該ディザデータを用いたディザ処理後のＲ版の画像データのスクリーン角度が、Ｃ，Ｍ，Ｙ，ＫのうちＲの補色に該当するＣのスクリーン角度と同じになるように設定され、Ｇ版用のディザデータは、当該ディザデータを用いたディザ処理後のＧ版の画像データのスクリーン角度が、Ｃ，Ｍ，Ｙ，ＫのうちＧの補色に該当するＭのスクリーン角度と同じになるように設定され、Ｂ版用のディザデータは、当該ディザデータを用いたディザ処理後のＢ版の画像データのスクリーン角度が、Ｃ，Ｍ，Ｙ，ＫのうちＢの補色に該当するＹのスクリーン角度と同じになるように設定される。さらに詳述すれば、図７に示すように、Ｒ版用のディザデータは、２値化後（ディザ処理後）のＲ版の画像データの解像度が６００ｄｐｉ、スクリーン線数が１９０ｌｐｉ、スクリーン角度が１８°となるように設定される万線型ディザデータである。また、Ｇ版用のディザデータは、ディザ処理後のＧ版の画像データの解像度が６００ｄｐｉ、スクリーン線数が１９０ｌｐｉ、スクリーン角度が１０８°となるように設定される万線型ディザデータである。さらに、Ｂ版用のディザデータは、ディザ処理後のＢ版の画像データの解像度が６００ｄｐｉ、スクリーン線数が１９０ｌｐｉ、スクリーン角度が１６２°となるように設定される万線型ディザデータである。
【００３９】
また、本実施形態では、Ｃ，Ｍ，Ｙ，Ｋ，Ｒ，Ｇ，Ｂ以外の色用の２つのディザデータの各々は、当該ディザデータを用いたディザ処理後の画像データのスクリーン角度が、基本色であるＣ，Ｍ，Ｙ，Ｋのうちの何れか２つのスクリーン角度の間の角度となるように設定されるとともに、ディザ処理後の画像データのスクリーン線数が、Ｃ，Ｍ，Ｙ，Ｋ，Ｒ，Ｇ，Ｂに比べて高くなるように設定される。ここでは、Ｃ，Ｍ，Ｙ，Ｋ，Ｒ，Ｇ，Ｂ以外の色用の２つのディザデータとして、Ｌｍ，Ｌｇ，青金，銀版用のディザデータと、Ｌｃ，Ｄｇ，赤金，透明版用のディザデータとが用意されている。そして、図８に示すように、Ｌｍ，Ｌｇ，青金，銀版用のディザデータは、当該ディザデータを用いたディザ処理後の画像データの解像度が６００ｄｐｉ、スクリーン線数が２１２ｌｐｉ、スクリーン角度が４５°となるように設定される万線型ディザデータである。つまりは、Ｌｍ，Ｌｇ，青金，銀版用の万線型ディザデータは、当該万線型ディザデータを用いたディザ処理後の画像データのスクリーン角度が、Ｃのスクリーン角度（１８°）とＫのスクリーン角度（７２°）との間の角度となるように設定されている。また、Ｌｃ，Ｄｇ，赤金，透明版用のディザデータは、当該ディザデータを用いたディザ処理後の画像データの解像度が６００ｄｐｉ、スクリーン線数が２１２ｌｐｉ、スクリーン角度が１３５°となるように設定される万線型ディザデータである。つまりは、Ｌｃ，Ｄｇ，赤金，透明版用の万線型ディザデータは、当該万線型ディザデータを用いたディザ処理後の画像データのスクリーン角度が、Ｍのスクリーン角度（１０８°）とＹのスクリーン角度（１６２°）との間の角度となるように設定されている。
【００４０】
本実施形態では、Ｌｍ，Ｌｇ，青金，銀版用の万線型ディザデータ、および、Ｌｃ，Ｄｇ，赤金，透明版用の万線型ディザデータの各々は、当該万線型ディザデータを用いたディザ処理後の画像データのスクリーン角度が、Ｃ，Ｍ，Ｙ，Ｋのうち、スクリーン角度差が最も大きくなる２つの色（ここでは、ＣとＫおよびＭとＹ）のスクリーン角度の間の角度となるように設定されるので、モアレの発生を抑制することが可能になる。また、Ｃ板のスクリーン角度（１８°）と、Ｌｃ版のスクリーン角度（１３５°）との間の角度差が十分に確保されるので、明度が異なる同系色であってもモアレになりにくい。同様に、Ｍ板のスクリーン角度（１０８°）と、Ｌｍ版のスクリーン角度（４５°）との間の角度差も十分に確保されるので、明度が異なる同系色であってもモアレになりにくい。さらに、ハイライト部で使用されるＬｃ，Ｌｍや、光沢やメタリック感を演出する透明，青金，銀，赤金のスクリーン線数をＣＭＹＫ版よりも高くすることで、テクスチャが知覚されにくくなる。
【００４１】
以上のように、図示しないメモリには、Ｃ，Ｍ，Ｙ，Ｋ版用の万線型ディザデータの他、Ｒ版用の万線型ディザデータと、Ｂ版用の万線型ディザデータと、Ｇ版用の万線型ディザデータと、Ｌｍ，Ｌｇ，青金，銀版用の万線型ディザデータと、Ｌｃ，Ｄｇ，赤金，透明版用の万線型ディザデータとが保持される。そして、上述したように、Ａ版ディザデータ設定部５１１は、ＡＢ情報分解部５１４から供給されるＡ情報ｓａ（ｘ，ｙ）が示す色に対応する万線型ディザデータｄＡを、図示しないメモリから読み出してＡ版ディザ処理部５０４へ供給する。例えば、ＡＢ情報分解部５１４から供給されるＡ情報ｓａ（ｘ，ｙ）がＬｍを示すものである場合は、Ａ版ディザデータ設定部５１１は、図示しないメモリから、Ｌｍ，Ｌｇ，青金，銀版用の万線型ディザデータを読み出し、その読み出した万線型ディザデータをＡ版ディザ処理部５０４へ供給するという具合である。
【００４２】
同様に、Ｂ版ディザデータ設定部５０９は、ＡＢ情報分解部５１４から供給されるＢ情報ｓｂ（ｘ，ｙ）が示す色に対応する万線型ディザデータｄＢを図示しないメモリから読み出してＢ版ディザ処理部５０６へ供給する。例えば、ＡＢ情報分解部５１４から供給されるＢ情報ｓｂ（ｘ，ｙ）がＬｃを示すものである場合は、Ｂ版ディザデータ設定部５０９は、図示しないメモリから、Ｌｃ，Ｄｇ，赤金，透明版用の万線型ディザデータを読み出し、その読み出した万線型ディザデータをＢ版ディザ処理部５０６へ供給するという具合である。
【００４３】
Ａ版ディザ処理部５０４は、Ａ版ディザデータ設定部５１１から供給される万線型ディザデータｄＡを用いて、Ａ版γ変換部５０３から供給されるＡ版データｇａ（ｘ，ｙ）に対してディザ処理を行う。これにより、Ａ版データｇａ（ｘ，ｙ）が２値化される。２値化されたＡ板データｏａ（ｘ，ｙ）は、後段のＡＢ合成部５１２へ供給される。同様に、Ｂ版ディザ処理部５０６は、Ｂ版ディザデータ設定部５０９から供給される万線型ディザデータｄＢを用いて、Ｂ版γ変換部５０５から供給されるＢ版データｇｂ（ｘ，ｙ）に対してディザ処理を行う。これにより、Ｂ版データｇｂ（ｘ，ｙ）が２値化される。２値化されたＢ板データｏｂ（ｘ，ｙ）は、後段のＡＢ合成部５１２へ供給される。
【００４４】
ＡＢ合成部５１２は、Ａ板ディザ処理部５０４から供給される２値化後のＡ板データｏａ（ｘ，ｙ）と、Ｂ版ディザ処理部５０６から供給される２値化後のＢ版データｏｂ（ｘ，ｙ）とを合成して、２値化されたＡＢ版の合成データＡＢ＿ｏｕｔ（ｘ，ｙ）を生成する。ＡＢ合成部５１２で生成された合成データＡＢ＿ｏｕｔ（ｘ，ｙ）は出力端子５１３に供給される。出力端子５１３は、図３に示す合成部１０５に対して、２値化されたＡＢ版の合成データＣＭＹＫ＿ｏｕｔ（ｘ，ｙ）を出力する。
【００４５】
＜作用・効果＞
以上に説明したように、本実施形態によれば、Ｒ，Ｇ，Ｂ版の入力画像データのディザ処理に用いられる３つの万線型ディザデータの各々は、当該万線型ディザデータを用いたディザ処理後の画像データのスクリーン角度が、Ｃ，Ｍ，Ｙ，Ｋのうちの補色となる色のスクリーン角度と同じになるように設定され、Ｃ，Ｍ，Ｙ，Ｋ，Ｒ，Ｇ，Ｂ以外の色版の入力画像データのディザ処理に用いられる万線型ディザデータは２つで済むので、階調処理の設計工数、および、ディザデータを保持するメモリに必要な容量を低減できるという有利な効果を奏する。
【００４６】
＜変形例＞
上述の実施形態では、Ｃ，Ｍ，Ｙ，Ｋ，Ｒ，Ｇ，Ｂ以外の色版用の２つの万線型ディザデータの各々は、当該万線型ディザデータを用いたディザ処理後の画像データのスクリーン角度が、４５°または１３５°となるように設定されているが、これに限らず、Ｃ，Ｍ，Ｙ，Ｋ，Ｒ，Ｇ，Ｂ以外の色用の２つの万線型ディザデータの各々は、当該万線型ディザデータを用いたディザ処理後の画像データのスクリーン角度が、基本色であるＣ，Ｍ，Ｙ，Ｋのうちの何れか２つのスクリーン角度の間の角度となるように設定されるものであればよい。例えば図９に示すように、Ｃ，Ｍ，Ｙ，Ｋ，Ｒ，Ｇ，Ｂ以外の色用の２つの万線型ディザデータの各々は、当該万線型ディザデータを用いたディザ処理後の画像データのスクリーン角度が、０°または９０°となるように設定されていてもよい。
【００４７】
上述の実施形態では、Ｃ，Ｍ，Ｙ，Ｋ版用の万線型ディザデータの各々は、当該万線型ディザデータを用いたディザ処理後の画像データのスクリーン線数が１９０ｌｐｉとなるように設定されているが、これに限らず、ディザ処理後のＣ，Ｍ，Ｙ，Ｋ版の画像データの各々のスクリーン線数は任意である。例えば経時変動や、気温・湿度といった環境変動によるドットサイズが不安定になるようなプロッターであれば、スクリーン線数を低くすることが好ましい。この場合、例えば図１０に示すように、Ｃ，Ｍ，Ｙ，Ｋ版用の万線型ディザデータの各々は、当該万線型ディザデータを用いたディザ処理後の画像データのスクリーン線数が１６８ｌｐｉとなるように設定されてもよい。また、ディザ処理後のＣ，Ｍ，Ｙ，Ｋ版の画像データの各々のスクリーン角度は任意である。例えば図１０に示すように、Ｃ版用の万線型ディザデータは、当該万線型ディザデータを用いたディザ処理後のＣ板の画像データのスクリーン角度が３４°となるように設定され、Ｍ版用の万線型ディザデータは、当該万線型ディザデータを用いたディザ処理後のＭ版の画像データのスクリーン角度が１２４°となるように設定され、Ｙ版用の万線型ディザデータは、当該万線型ディザデータを用いたディザ処理後のＹ版の画像データのスクリーン角度が１４６°となるように設定され、Ｋ版用の万線型ディザデータは、当該万線型ディザデータを用いたディザ処理後のＫ版の画像データのスクリーン角度が５６°となるように設定されてもよい。要するにＣ，Ｍ，Ｙ，Ｋ版用の万線型ディザデータは、ディザ処理後のＣ，Ｍ，Ｙ，Ｋ版の画像データの各々のスクリーン角度が互いに異なるように設定されるものであればよい。
【００４８】
上述の実施形態では、ディザ処理後の各版の解像度は６００ｄｐｉに設定されているが、これに限らず、ディザ処理後の各版の解像度の値は任意である。例えばディザ処理後の各版の解像度を１２００ｄｐｉに設定することもできるし、２４００ｄｐｉに設定することもできる。
【００４９】
上述の実施形態では、画像入力装置３０１、画像処理装置３０２、および、画像形成装置３０３のそれぞれは、独立した装置として機能しているが、これに限らず、画像形成装置３０３が、画像入力装置３０１および画像処理装置３０２の両方の機能を有する形態であってもよいし、画像形成装置３０３が、画像処理装置３０２の機能を有する形態であってもよい。要するに、本発明は、複数の機器（例えばホストコンピュータ、インタフェース機器、リーダ、プリンタなど）から構成されるシステムに適用することもできるし、一つの機器からなる装置（例えば、複写機、ファクシミリ装置など）に適用することもできる。
【００５０】
また、本発明は、上述した実施形態の画像処理装置３０２の機能を実現するソフトウェアのプログラムコードをシステムあるいは装置に供給し、システムあるいは装置のコンピュータ（ＣＰＵやＭＰＵ）がそのプログラムコードを実行することによっても実施可能である。この場合、上記のプログラムコードは記憶媒体に格納されたかたちでシステムあるいは装置に供給されるようにしてもよいし、インターネットなどの通信ネットワークを介してシステムあるいは装置に供給されるようにしてもよい。なお、プログラムコードを供給するための記憶媒体としては、例えば、フレキシブルディスク、ハードディスク、光ディスク、光磁気ディスク、磁気テープ、不揮発性のメモリカード、ＲＯＭなどを用いることができる。
【００５１】
また、コンピュータが上記のプログラムコードを実行することにより、上述した実施形態の画像処理装置３０２の機能が実現されるだけでなく、そのプログラムコードの指示に基づき、コンピュータ上で稼働しているＯＳ（オペレーティングシステム）などが実際の処理の一部または全部を行い、その処理によって上述した実施形態の画像処理装置３０２の機能が実現される場合も含まれることは言うまでもない。
【００５２】
さらに、上記のプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施形態の画像処理装置３０２の機能が実現される場合も含まれることは言うまでもない。
【００５３】
以上により本発明の実施の一形態について説明した。なお、上述の実施形態は、本発明の好適な実施形態の一例を示すものであり、本発明はそれに限定されるものではなく、その要旨を逸脱しない範囲内において、様々な変形実施が可能である。
【符号の説明】
【００５４】
１０１  入力端子
１０２  スクリーン選択部
１０３  第１中間調処理部
１０４  第２中間調処理部
１０５  合成部
１０６  入力端子
１０７  出力端子
３０１  画像入力装置
３０２  画像処理装置
３０３  画像形成装置
３１０  画像形成部
４０１  入力端子
４０２  ＣＭＹＫ分解部
４０３  Ｃ版γ変換部
４０４  Ｃ版ディザ処理部
４０５  Ｍ版γ変換部
４０６  Ｍ版ディザ処理部
４０７  Ｙ版γ変換部
４０８  Ｙ版ディザ処理部
４０９  Ｋ版γ変換部
４１０  Ｋ版ディザ処理部
４１１  ＣＭＹＫ合成部
４１２  出力端子
５０１  入力端子
５０２  ＡＢ分解部
５０３  Ａ版γ変換部
５０４  Ａ板ディザ処理部
５０５  Ｂ版γ変換部
５０６  Ｂ版ディザ処理部
５０７  入力端子
５０８  Ｂ版γ設定部
５０９  Ｂ版ディザデータ設定部
５１０  Ａ版γ設定部
５１１  Ａ版ディザデータ設定部
５１２  ＡＢ合成部
５１３  出力端子
５１４  ＡＢ情報分解部
【先行技術文献】
【特許文献】
【００５５】
【特許文献１】特開２００８−１４１７５号公報
【図１】
0005685944.tif 000002
【図２】
0005685944.tif 000003
【図３】
0005685944.tif 000004
【図４】
0005685944.tif 000005
【図５】
0005685944.tif 000006
【図６】
0005685944.tif 000007
【図７】
0005685944.tif 000008
【図８】
0005685944.tif 000009
【図９】
0005685944.tif 000010
【図１０】
0005685944.tif 000011